(57)【要約】【課題】  情報記入領域に記入された情報の隠蔽性をさらに向上させる。【解決手段】  本体片１０と貼着片２０とがミシン目３０を介して折り畳み可能に連接し、折り畳み状態における本体片１０の内側となる面に情報記入領域１１が形成され、本体片１０と貼着片２０とが折り畳まれることにより、情報記入領域１１に記入された情報を隠蔽する記入情報隠蔽シートであって、本体片１０の折り畳み状態における外側の面に地紋１２を印刷し、また、貼着片２０の折り畳み状態における内側の面に地紋２１を印刷する。【選択図】図１
2006110748.tif 000002
【特許請求の範囲】
【請求項１】
第１及び第２の紙片が折り畳み可能に連接し、折り畳み状態における前記第１の紙片の内側となる面に情報記入領域が形成され、前記第１の紙片と前記第２の紙片とが折り畳まれることにより、前記情報記入領域に記入された情報を隠蔽する記入情報隠蔽シートであって、
前記第１の紙片は、折り畳み状態における外側の面のうち少なくとも前記情報記入領域の裏側となる領域に第１の地紋が印刷され、
前記第２の紙片は、折り畳み状態における内側の面のうち少なくとも前記折り畳み状態にて前記情報記入領域に対向する領域に第２の地紋が印刷されるとともに、当該内側の面に剥離可能な接着構造が設けられている記入情報隠蔽シート。
【請求項２】
請求項１に記載の記入情報隠蔽シートにおいて、
前記第２の紙片は、折り畳み状態における外側の面に宛先情報が印字されていることを特徴とする記入情報隠蔽シート。
【請求項３】
請求項１または請求項２に記載の記入情報隠蔽シートにおいて、
前記第１及び第２の地紋は、互いに反転パターンを有することを特徴とする記入情報隠蔽シート。
【請求項４】
請求項１乃至３のいずれか１項に記載の記入情報隠蔽シートにおいて、
前記接着構造は、前記第１の紙片と前記第２の紙片とが剥離された後に再貼着不能に構成されていることを特徴とする記入情報隠蔽シート。
【請求項５】
請求項１乃至４のいずれか１項に記載の記入情報隠蔽シートにおいて、
前記第１の紙片と前記第２の紙片とが、切り離し可能に構成されていることを特徴とする記入情報隠蔽シート。
【発明の詳細な説明】
【技術分野】
【０００１】
本発明は、情報記入領域に記入された情報を隠蔽することができる記入情報隠蔽シートに関する。
【背景技術】
【０００２】
従来より、情報を記入するための情報記入領域が設けられたカードにおいて、情報記入領域に情報を記入した後にシール等の隠蔽片を情報記入領域に剥離可能に接着し、それにより、情報記入領域に記入された情報を隠蔽可能とするものが考えられている（例えば、特許文献１参照。）。このカードを用いて情報を伝達する場合、情報記入領域に伝達したい情報を記入した後、この情報記入領域を有する表示片に連接した隠蔽片を情報記入領域に剥離可能に接着し、その状態でカードを送付先に郵送等の手段によって送付する。これにより、カードの送付途中においては、情報記入領域に記入された情報は隠蔽片によって覆われており、外部から見られてしまうことはない。また、このカードが送付先に送付された後、カードの送付先において隠蔽片を表示片から剥離すると、情報記入領域に記入された情報が視認可能となり、それにより、情報記入領域に記入された情報がカードの送付元から送付先に伝達されることになる。
【０００３】
また、近年においては、記入された情報の隠蔽性をさらに向上させるために、隠蔽ラベルに地紋が印刷された隠蔽ラベル付き葉書が考えられている（例えば、特許文献２参照。）。この葉書においては、宛先情報が記載された葉書の裏面に情報記入領域が設けられており、この情報記入領域に情報が記入された後、地紋が印刷された隠蔽ラベルが情報記入領域に貼付されて発送される。情報記入領域に貼付された隠蔽ラベルには地紋が印刷されているため、隠蔽ラベルが貼付された面側から葉書を透かして見た場合であっても、情報記入領域に記入された情報を見難くすることができる。
【特許文献１】実用新案登録第２５７７５９０号公報
【特許文献２】特開２００３−１８２２６７号公報
【発明の開示】
【発明が解決しようとする課題】
【０００４】
しかしながら、上述したように隠蔽ラベルに地紋が印刷された隠蔽ラベル付き葉書においては、隠蔽ラベルが情報記入領域に貼付された状態において、隠蔽ラベルが貼付された面側から葉書を透かして見た場合に情報記入領域に記入された情報を見難くすることができるものの、隠蔽ラベルが貼付された面とは反対側の面側から葉書を透かして見た場合、情報記入領域に記入された情報が見えてしまう虞れがある。
【０００５】
本発明は、上述したような従来の技術が有する問題点に鑑みてなされたものであって、情報記入領域に記入された情報の隠蔽性をさらに向上させることができる記入情報隠蔽シートを提供することを目的とする。
【課題を解決するための手段】
【０００６】
上記目的を達成するために本発明は、
第１及び第２の紙片が折り畳み可能に連接し、折り畳み状態における前記第１の紙片の内側となる面に情報記入領域が形成され、前記第１の紙片と前記第２の紙片とが折り畳まれることにより、前記情報記入領域に記入された情報を隠蔽する記入情報隠蔽シートであって、
前記第１の紙片は、折り畳み状態における外側の面のうち少なくとも前記情報記入領域の裏側となる領域に第１の地紋が印刷され、
前記第２の紙片は、折り畳み状態における内側の面のうち少なくとも前記折り畳み状態にて前記情報記入領域に対向する領域に第２の地紋が印刷されるとともに、当該内側の面に剥離可能な接着構造が設けられている。
【０００７】
また、前記第２の紙片は、折り畳み状態における外側の面に宛先情報が印字されていることを特徴とする。
【０００８】
また、前記第１及び第２の地紋は、互いに反転パターンを有することを特徴とする。
【０００９】
また、前記接着構造は、前記第１の紙片と前記第２の紙片とが剥離された後に再貼着不能に構成されていることを特徴とする。
【００１０】
また、前記第１の紙片と前記第２の紙片とが、切り離し可能に構成されていることを特徴とする。
【００１１】
上記のように構成された本発明においては、第１の紙片に形成された情報記入領域に情報を記入した後に、情報記入領域が形成された面が内側となるように第１の紙片と第２の紙片とを折り畳み、第２の紙片に設けられた接着構造によって第１の紙片と第２の紙片とを接着すると、情報記入領域に記入された情報は第２の紙片によって覆われているため、外部から視認不可能となっている。また、この際、情報記入領域が、第１の紙片の折り畳み状態における外側の面に印刷された第１の地紋と、第２の紙片の折り畳み状態における内側の面に印刷された第２の地紋とに挟まれるようになっているため、第１及び第２の紙片のいずれの紙片側から透かして見た場合であっても、情報記入領域に記入された情報が見えてしまう可能性が低くなる。
【発明の効果】
【００１２】
以上説明したように本発明においては、第１の紙片に形成された情報記入領域に情報を記入した後に、情報記入領域が形成された面が内側となるように第１の紙片と第２の紙片とを折り畳み、第２の紙片に設けられた接着構造によって第１の紙片と第２の紙片とを接着した場合、情報記入領域が、第１の紙片の折り畳み状態における外側の面に印刷された第１の地紋と、第２の紙片の折り畳み状態における内側の面に印刷された第２の地紋とに挟まれるようになる構成としたため、第１及び第２の紙片のいずれの紙片側から透かして見た場合であっても、情報記入領域に記入された情報が見えてしまう可能性が低くなり、情報記入領域に記入された情報の隠蔽性をさらに向上させることができる。
【００１３】
また、第２の紙片の折り畳み状態における外側の面に宛先情報が印字されているものにおいては、情報記入領域に記入された情報を隠蔽した状態で、この記入情報隠蔽シートを送付することができる。
【００１４】
また、第１及び第２の地紋が、互いに反転パターンを有するものにおいては、情報記入領域に記入された情報の隠蔽性をさらに向上させることができる。
【００１５】
また、接着構造が、第１の紙片と第２の紙片とが剥離された後に再貼着不能に構成されているものにおいては、記入情報隠蔽シートの送付途中等において、接着構造によって互いに貼着された第１の紙片と第２の紙片とが剥離されて情報記入領域に記入された情報が見られたり改竄されたりした後に、第１の紙片と第２の紙片とが再度貼着されることを防止することができる。
【００１６】
また、第１の紙片と第２の紙片とが切り離し可能に構成されているものにおいては、互いに貼着された第１の紙片と第２の紙片とを剥離した後に、第１の紙片と第２の紙片とを切り離し、情報記入領域が形成された第１の紙片のみを保存しておくことができる。
【発明を実施するための最良の形態】
【００１７】
以下に、本発明の実施の形態について図面を参照して説明する。
【００１８】
（第１の実施の形態）
図１は、本発明の記入情報隠蔽シートの第１の実施の形態を示す図であり、（ａ）は折り畳み状態における内側となる面の構成を示す図、（ｂ）は（ａ）に示した構成から剥離紙４０を剥離した状態を示す図、（ｃ）は折り畳み状態における外側となる面の構成を示す図、（ｄ）は（ａ）に示したＡ−Ａ’断面図である。
【００１９】
本形態は図１に示すように、情報記入領域１１に記入された情報を隠蔽して通知する隠蔽はがきであって、はがき本体となる第１の紙片である本体片１０と、本体片１０にミシン目３０を介して折り畳み可能に連接され、本体片１０上に貼着される貼着片２０とから構成されている。本体片１０には、ミシン目３０を介して折り畳まれた場合に内側となる面に情報記入領域１１が形成されており、また、ミシン目３０を介して折り畳まれた場合に外側となる面の全面に第１の地紋１２が印刷されている。また、貼着片２０は、本体片１０との連接方向の長さが本体片１０よりも短く構成されており、ミシン目３０を介して折り畳まれた場合に内側となる面の全面には、第２の地紋２１が印刷されるとともにこの地紋２１上に剥離可能な接着構造となる粘着剤５０が塗布され、また、ミシン目３０を介して折り畳まれた場合に外側となる面にはこの隠蔽はがきの宛先を示す宛先情報２２が印字されている。
【００２０】
このように構成された本体片１０と貼着片２０とは、ミシン目３０を介して折り畳まれ、貼着片２０に塗布された粘着剤５０によって剥離可能に接着されることになるが、本体片１０と貼着片２０とが接着されない状態においては、貼着片２０には、粘着剤５０によって剥離紙４０が剥離可能に接着されている。また、この剥離紙４０には、剥離作用を容易に行うためのスリット４１が形成されている。
【００２１】
以下に、上記のように構成された隠蔽はがきの使用方法について説明する。
【００２２】
まず、本体片１０に設けられた情報記入領域１１に、この隠蔽はがきの送付先に通知すべき情報を記入する。なお、本形態においては、図１に示すように、隠蔽はがきの差出人の住所変更を示す情報を情報記入領域１１に記入する。
【００２３】
次に、スリット４１から剥離紙４０を剥離していき粘着剤５０を露出させ、露出した粘着剤５０が内側となるようにミシン目３０を介して本体片１０と貼着片２０とを折り畳み、粘着剤５０によって本体片１０と貼着片２０とを接着する。
【００２４】
図２は、図１に示した本体片１０と貼着片２０とが接着された状態を示す図であり、（ａ）は貼着片２０側から見た図、（ｂ）は（ａ）に示したＡ−Ａ’断面図、（ｃ）は本体片１０側から見た図である。
【００２５】
図２に示すように、本体片１０と貼着片２０とが接着された状態においては、本体片１０の情報記入領域１１が貼着片２０で覆われているため、情報記入領域１１に記入された情報が外部から視認不可能となっている。また、この際、貼着片２０の本体片１０との連接方向の長さが本体片１０よりも短く構成されていることにより、本体片１０に印字された郵便はがきを示す情報１４が表出している。
【００２６】
また、本形態においては、本体片１０と貼着片２０とが接着された状態においては、本体片１０の情報記入領域１１が、貼着片２０に印刷された地紋２１と、本体片１０に印刷された地紋１２とによって挟まれるような状態となる。そのため、この隠蔽はがきを本体片１０側から透かして見た場合は、本体片１０に印刷された地紋１２によって情報記入領域１１に記入された情報が隠蔽され、また、貼着片２０側から透かして見た場合は、貼着片２０に印刷された地紋２１によって情報記入領域１１に記入された情報が隠蔽されることになる。
【００２７】
図３は、図１に示した２つの地紋１２，２１のパターンの一例を示す図であり、（ａ）は本体片１０に印刷された地紋１２のパターンの一部を示す図、（ｂ）は貼着片２０に印刷された地紋２１のパターンの一部を示す図、（ｃ）は（ａ）に示したパターンを有する地紋１２と（ｂ）に示したパターンを有する地紋２１とが重ね合わされた場合の状態を示す図である。
【００２８】
図３（ａ），（ｂ）に示すように、本体片１０に印刷された地紋１２と、貼着片２０に印刷された地紋２１とは、互いに反転パターンを有しており、そのため、地紋１２，２１単体ではそれぞれのパターンによる模様が表現されているが、本体片１０と貼着片２０とがミシン目３０を介して折り畳まれることによって重ね合わされると、地紋１２，２１の印刷色一色が塗り広げられたような状態となる。これにより、情報記入領域１１に記入された情報の隠蔽性をさらに向上させることができる。
【００２９】
その後、図２に示したように折り畳まれた隠蔽はがきが、貼着片２０に印字された宛先情報２２に従って送付先に送付され、隠蔽はがきが送付先にて受け取られた後、隠蔽はがきの送付先において、本体片１０から貼着片２０が剥離され、情報記入領域１１に記入された情報が認識されることになる。
【００３０】
なお、本形態においては、本体片１０のミシン目３０を介して折り畳まれた場合に外側となる面の全面に地紋１２が印刷され、また、貼着片２０のミシン目３０を介して折り畳まれた場合に内側となる面の全面に地紋２１が印刷されているが、地紋１２，２１については、少なくとも情報記入領域１１の裏面に地紋１２が印刷され、また、本体片１０と貼着片２０とがミシン目３０を介して折り畳まれた場合に少なくとも情報記入領域１１に対向する領域に地紋２１が印刷されていればよい。その場合、本体片１０や貼着片２０の地紋１２，２１が印刷されていない領域に、広告情報等の所望の情報を印刷することができる。例えば、隠蔽はがきを予め決められた顧客（本形態においては隠蔽はがきの差出人となる）に配布する場合、その顧客に応じた広告情報を可変に印刷すること等が考えられる。
【００３１】
（第２の実施の形態）
図４は、本発明の記入情報隠蔽シートの第２の実施の形態を示す図であり、（ａ）は折り畳み状態における内側となる面の構成を示す図、（ｂ）は（ａ）に示した構成から剥離紙１４０を剥離した状態を示す図、（ｃ）は折り畳み状態における外側となる面の構成を示す図、（ｄ）は（ａ）に示したＡ−Ａ’断面図である。
【００３２】
本形態は図４に示すように、情報記入領域１２１に記入された情報を隠蔽して通知する隠蔽はがきであって、はがき本体となる第２の紙片である本体片１１０と、本体片１１０にミシン目１３０を介して折り畳み可能に連接され、本体片１１０上に貼着される貼着片１２０とから構成されている。本体片１１０には、ミシン目１３０を介して折り畳まれた場合に内側となる面に第２の地紋１１１が印刷されるとともにこの地紋１１１上に剥離可能な接着構造となる粘着剤１５０が塗布され、また、ミシン目１３０を介して折り畳まれた場合に外側となる面にはこの隠蔽はがきの宛先を示す宛先情報１１２が印字されている。また、貼着片１２０は、本体片１１０との連接方向の長さが本体片１１０よりも短く構成されており、ミシン目１３０を介して折り畳まれた場合に内側となる面には情報記入領域１２１が形成され、また、ミシン目１３０を介して折り畳まれた場合に外側となる面の全面に第１の地紋１２２が印刷されている。なお、地紋１１１，１２２については、少なくとも情報記入領域１２１の裏面に地紋１２２が印刷され、また、ミシン目１３０を介して折り畳まれた場合に少なくとも情報記入領域１２１に対向する領域に地紋１１１が印刷されていればよい。その場合、本体片１１０や貼着片１２０の地紋１１１，１２２が印刷されていない領域に、広告情報等の所望の情報を印刷することができる。
【００３３】
このように構成された本体片１１０と貼着片１２０とは、ミシン目１３０を介して折り畳まれ、本体片１１０に塗布された粘着剤１５０によって剥離可能に接着されることになるが、本体片１１０と貼着片１２０とが接着されない状態においては、本体片１１０には、粘着剤１５０によって剥離紙１４０が剥離可能に接着されている。また、この剥離紙１４０には、剥離作用を容易に行うためのスリット１４１が形成されている。
【００３４】
以下に、上記のように構成された隠蔽はがきの使用方法について説明する。
【００３５】
まず、貼着片１２０に設けられた情報記入領域１２１に、この隠蔽はがきの送付先に通知すべき情報を記入する。なお、本形態においては、図４に示すように、隠蔽はがきの差出人の住所変更を示す情報を情報記入領域１２１に記入する。
【００３６】
次に、スリット１４１から剥離紙１４０を剥離していき粘着剤１５０を露出させ、露出した粘着剤１５０が内側となるようにミシン目１３０を介して本体片１１０と貼着片１２０とを折り畳み、粘着剤１５０によって本体片１１０と貼着片１２０とを接着する。
【００３７】
図５は、図４に示した本体片１１０と貼着片１２０とが接着された状態を示す図であり、（ａ）は本体片１１０側から見た図、（ｂ）は（ａ）に示したＡ−Ａ’断面図、（ｃ）は貼着片１２０側から見た図である。
【００３８】
図５に示すように、本体片１１０と貼着片１２０とが接着された状態においては、貼着片１２０の情報記入領域１２１が本体片１１０で覆われているため、情報記入領域１２１に記入された情報が外部から視認不可能となっている。
【００３９】
また、本形態においては、本体片１１０と貼着片１２０とが接着された状態においては、貼着片１２０の情報記入領域１２１が、本体片１１０に印刷された地紋１１１と、貼着片１２０に印刷された地紋１２２とによって挟まれるような状態となる。そのため、この隠蔽はがきを本体片１１０側から透かして見た場合は、本体片１１０に印刷された地紋１１１によって情報記入領域１２１に記入された情報が隠蔽され、また、貼着片１２０側から透かして見た場合は、貼着片１２０に印刷された地紋２２によって情報記入領域１２１に記入された情報が隠蔽されることになる。
【００４０】
その後、図５に示したように折り畳まれた隠蔽はがきが、本体片１１０に印字された宛先情報１１２に従って送付先に送付され、隠蔽はがきが送付先にて受け取られた後、隠蔽はがきの送付先において、本体片１１０から貼着片１２０が剥離され、情報記入領域１２１に記入された情報が認識されることになる。
【００４１】
なお、上述した２つの実施の形態において、本体片１０，１１０と貼着片２０，１２０とを接着するための粘着剤５０，１５０として、本体片１０，１１０と貼着片２０，１２０とが剥離された後に本体片１０，１１０と貼着片２０，１２０とを再度貼着することができないものを用いれば、隠蔽はがきの送付途中において、本体片１０，１１０から貼着片２０，１２０が剥離されて情報記入領域１１，１２１に記入された情報が見られたり改竄されたりした後に本体片１０，１１０と貼着片２０，１２０とが再度貼着されることを防止することができる。
【００４２】
ここで、上述した２つの実施の形態においては、本体片１０，１１０と貼着片２０，１２０とを接着するための接着構造として、剥離可能な粘着剤５０，１５０を用いているが、その他に、２層構造のフィルムを用いることも考えられる。以下に、２層構造のフィルムを用いた実施の形態について説明する。
【００４３】
（第３の実施の形態）
図６は、本発明の記入情報隠蔽シートの第３の実施の形態を示す図であり、（ａ）は折り畳み状態における内側となる面の構成を示す図、（ｂ）は（ａ）に示した構成から剥離紙２４０を剥離した状態を示す図、（ｃ）は折り畳み状態における外側となる面の構成を示す図、（ｄ）は（ａ）に示したＡ−Ａ’断面図である。
【００４４】
本形態は図６に示すように、情報記入領域２１１に記入された情報を隠蔽して通知する隠蔽はがきであって、はがき本体となる第１の紙片である本体片２１０と、本体片２１０にミシン目２３０を介して折り畳み可能に連接され、本体片２１０上に貼着される貼着片２２０とから構成されている。本体片２１０には、ミシン目２３０を介して折り畳まれた場合に内側となる面に情報記入領域２１１が形成されており、また、ミシン目２３０を介して折り畳まれた場合に外側となる面の全面に第１の地紋２１２が印刷されている。また、貼着片２２０は、本体片２１０との連接方向の長さが本体片２１０よりも短く構成されており、ミシン目２３０を介して折り畳まれた場合に外側となる面にはこの隠蔽はがきの宛先を示す宛先情報２２２が印字され、また、ミシン目２３０を介して折り畳まれた場合に内側となる面の全面には、第２の地紋２２１が印刷されるとともにこの地紋２２１上に、本体片２１０と貼着片２２０とを剥離可能に接着するために接着構造が設けられている。この接着構造は、この隠蔽はがきが折り畳まれた場合に貼着片２２０の内側となる面上に、接着力の強い透明な粘着剤２５０ａによってポリエチレンやポリエステル等の合成樹脂からなる透明フィルム２６０ａが剥離不能に接着され、この透明フィルム２６０ａ上には、同じくポリエチレンやポリエステル等の合成樹脂からなる透明フィルム２６０ｂが、不完全な溶着、あるいは接着力の弱い粘着剤等の適宜な手段によって剥離可能に接着され、さらに透明フィルム２６０ｂ上には、接着力の強い透明な粘着剤２５０ｂが設けられて構成されている。そして、粘着剤２５０ｂは剥離紙２４０によって被覆されている。また、剥離紙２４０には、剥離作用を容易に行うためのスリット２４１が形成されている。
【００４５】
以下に、上記のように構成された隠蔽はがきの使用方法について説明する。
【００４６】
まず、本体片２１０に設けられた情報記入領域２１１に、この隠蔽はがきの送付先に通知すべき情報を記入する。なお、本形態においては、図６に示すように、隠蔽はがきの差出人の住所変更を示す情報を情報記入領域２１１に記入する。
【００４７】
次に、スリット２４１から剥離紙２４０を剥離していき粘着剤２５０ｂを露出させ、露出した粘着剤２５０ｂが内側となるようにミシン目２３０を介して本体片２１０と貼着片２２０とを折り畳み、粘着剤２５０ａ，２５０ｂによって本体片２１０と貼着片２２０とを接着する。
【００４８】
本体片２１０と貼着片２２０とが接着された状態においては、本体片２１０の情報記入領域２１１が貼着片２２０で覆われているため、情報記入領域２１１に記入された情報が外部から視認不可能となっている。また、この際、貼着片２２０の本体片２１０との連接方向の長さが本体片２１０よりも短く構成されていることにより、本体片２１０に印字された郵便はがきを示す情報２１４が表出している。
【００４９】
また、本形態においては、本体片２１０と貼着片２２０とが接着された状態においては、本体片２１０の情報記入領域２１１が、貼着片２２０に印刷された地紋２２１と、本体片２１０に印刷された地紋２１２とによって挟まれるような状態となる。そのため、この隠蔽はがきを本体片２１０側から透かして見た場合は、本体片２１０に印刷された地紋２１２によって情報記入領域２１１に記入された情報が隠蔽され、また、貼着片２２０側から透かして見た場合は、貼着片２２０に印刷された地紋２２１によって情報記入領域２１１に記入された情報が隠蔽されることになる。
【００５０】
その後、この隠蔽はがきが、貼着片２２０に印字された宛先情報２２２に従って送付先に送付され、隠蔽はがきが送付先にて受け取られた後、隠蔽はがきの送付先において、本体片２１０から貼着片２２０を剥離していくことになる。
【００５１】
図７は、図６に示した本体片２１０と貼着片２２０とが接着された後に剥離された状態を示す図であり、（ａ）は接着されていた面を示す図であり、（ｂ）は（ａ）に示したＡ−Ａ’断面図である。
【００５２】
本体片２１０から貼着片２２０を剥離していくと、図７に示すように、透明フィルム２６０ａと透明フィルム２６０ｂとが離反し、透明フィルム２６０ｂが粘着剤２５０ｂによって本体片２１０に残り、また、透明フィルム２６０ａが粘着剤２５０ａによって貼着片２２０とともに本体片２１０から剥離される。この際、粘着剤２５０ｂ及び透明フィルム２６０ｂが透明な材料から構成されているため、情報記入領域２１１に記入された記入情報２１３が粘着剤２５０ｂ及び透明フィルム２６０ｂを介して視認可能になる。
【００５３】
これにより、隠蔽はがきの送付先に、情報記入領域２１１に記入された情報を通知することができる。
【００５４】
上述したように本形態においては、本体片２１０と貼着片２２０とを接着するための接着構造として、２層構造の透明フィルム２６０ａ，２６０ｂを用い、本体片２１０と貼着片２２０とが接着された後に剥離された場合に、２層構造の透明フィルム２６０ａ，２６０ｂが離反していくことにより本体片２１０と貼着片２２０とが剥離される構成としたため、本体片２１０と貼着片２２０とが剥離された後に本体片２１０と貼着片２２０とを再度貼着することができない。そのため、隠蔽はがきの送付途中において、本体片２１０から貼着片２２０が剥離されて情報記入領域２１１に記入された記入情報２１３が見られたり改竄されたりした後に本体片２１０と貼着片２２０とが再度貼着されることを防止することができる。さらに、本形態においては、透明フィルム２６０ａ，２６０ｂの材質によっては、透明フィルム２６０ａ，２６０ｂの上から情報を記入することができない構成とすることもでき、それによっても、隠蔽はがきの送付途中において、本体片２１０から貼着片２２０が剥離されて情報記入領域２１１に記入された記入情報２１３が改竄されてしまうことを防止することができる。
【００５５】
なお、本形態においては、本体片２１０のミシン目２３０を介して折り畳まれた場合に外側となる面の全面に地紋２１２が印刷され、また、貼着片２２０のミシン目２３０を介して折り畳まれた場合に内側となる面の全面に地紋２２１が印刷されているが、地紋２１２，２２１については、少なくとも情報記入領域２１１の裏面に地紋２１２が印刷され、また、本体片２１０と貼着片２２０とがミシン目２３０を介して折り畳まれた場合に少なくとも情報記入領域２１１に対向する領域に地紋２２１が印刷されていればよい。その場合、本体片２１０や貼着片２２０の地紋２１２，２２１が印刷されていない領域に、広告情報等の所望の情報を印刷することができる。例えば、隠蔽はがきを予め決められた顧客（本形態においては隠蔽はがきの差出人となる）に配布する場合、その顧客に応じた広告情報を可変に印刷すること等が考えられる。
【００５６】
また、上述した３つの実施の形態においては、本体片１０，１１０，２１０と貼着片２０，１２０，２２０とがミシン目３０，１３０，２３０を介して折り畳み可能に連接しているが、本発明はこれに限らず、本体片１０，１１０，２１０と貼着片２０，１２０，２２０とが折り畳み可能となるものであれば折り線等であってもよい。ただし、本体片１０，１１０，２１０と貼着片２０，１２０，２２０とがミシン目３０，１３０，２３０を介して折り畳み可能に連接していれば、隠蔽はがきの送付先において、本体片１０，１１０，２１０と貼着片２０，１２０，２２０とを剥離した後に、本体片１０，１１０，２１０と貼着片２０，１２０，２２０とをミシン目３０によって切り離し、情報記入領域１１，１２１，２１１が形成された紙片のみを保存することができる。
【００５７】
また、上述した３つの実施の形態においては、記入情報隠蔽シートして隠蔽はがきを例に挙げて説明したが、本発明はこれに限らず、メッセージカードや一般的な印刷物等、様々な形態のものが考えられ、また、連接する２つの紙片の大きさも任意の大きさでよい。
【図面の簡単な説明】
【００５８】
【図１】本発明の記入情報隠蔽シートの第１の実施の形態を示す図であり、（ａ）は折り畳み状態における内側となる面の構成を示す図、（ｂ）は（ａ）に示した構成から剥離紙を剥離した状態を示す図、（ｃ）は折り畳み状態における外側となる面の構成を示す図、（ｄ）は（ａ）に示したＡ−Ａ’断面図である。
【図２】図１に示した本体片と貼着片とが接着された状態を示す図であり、（ａ）は貼着片側から見た図、（ｂ）は（ａ）に示したＡ−Ａ’断面図、（ｃ）は本体片側から見た図である。
【図３】図１に示した２つの地紋のパターンの一例を示す図であり、（ａ）は本体片に印刷された地紋のパターンの一部を示す図、（ｂ）は貼着片に印刷された地紋のパターンの一部を示す図、（ｃ）は（ａ）に示したパターンを有する地紋と（ｂ）に示したパターンを有する地紋とが重ね合わされた場合の状態を示す図である。
【図４】本発明の記入情報隠蔽シートの第２の実施の形態を示す図であり、（ａ）は折り畳み状態における内側となる面の構成を示す図、（ｂ）は（ａ）に示した構成から剥離紙を剥離した状態を示す図、（ｃ）は折り畳み状態における外側となる面の構成を示す図、（ｄ）は（ａ）に示したＡ−Ａ’断面図である。
【図５】図４に示した本体片と貼着片とが接着された状態を示す図であり、（ａ）は本体片側から見た図、（ｂ）は（ａ）に示したＡ−Ａ’断面図、（ｃ）は貼着片側から見た図である。
【図６】本発明の記入情報隠蔽シートの第３の実施の形態を示す図であり、（ａ）は折り畳み状態における内側となる面の構成を示す図、（ｂ）は（ａ）に示した構成から剥離紙を剥離した状態を示す図、（ｃ）は折り畳み状態における外側となる面の構成を示す図、（ｄ）は（ａ）に示したＡ−Ａ’断面図である。
【図７】図６に示した本体片と貼着片とが接着された後に剥離された状態を示す図であり、（ａ）は接着されていた面を示す図であり、（ｂ）は（ａ）に示したＡ−Ａ’断面図である。
【符号の説明】
【００５９】
１０，１１０，２１０    本体片
１１，１２１，２１１    情報記入領域
１２，２１，１１１，１２２，２１２，２２１    地紋
１４，２１４    情報
２０，１２０，２２０    貼着片
２２，１１２，２２２    宛先情報
３０，１３０，２３０    ミシン目
４０，１４０，２４０    剥離紙
４１，１４１，２４１    スリット
５０，１５０，２５０ａ，２５０ｂ    粘着剤
２１３    記入情報
２６０ａ，２６０ｂ    透明フィルム
【図１】
2006110748.tif 000003
【図２】
2006110748.tif 000004
【図３】
2006110748.tif 000005
【図４】
2006110748.tif 000006
【図５】
2006110748.tif 000007
【図６】
2006110748.tif 000008
【図７】
2006110748.tif 000009